(57)【特許請求の範囲】
【請求項１】
底部をフラットなスイープフロア形態としその下方に通気空間を形成した複数の貯留ビンに撹拌装置を備え、これら複数の貯留ビンに振分けられた荷受穀物を半乾水分までローテーションのみによって処理し、この後各貯留ビンの穀物を所定の貯留ビンに集合して混合撹拌乾燥に移行する乾燥方法において、水分値の異なる堆積層の重ね方を、水分の最も高いものを最初に投入し、その次に予め設定された許容範囲内の水分値を減じた水分値に最も近いものを投入し、更に、この水分に許容水分値を加えた水分値に最も近いものを投入すべく、予め設定された許容範囲内の水分差の穀物を順次投入して撹拌乾燥する構成とした貯留ビンの混合撹拌乾燥方法。
【発明の詳細な説明】
【０００１】
【産業上の利用分野】
この発明は、貯留ビンの混合撹拌乾燥方法に関する。
【０００２】
【従来技術及び発明が解決しようとする課題】
従来、多数の貯留ビンを用いて被乾燥物が搬入された貯留ビンから空の貯留ビンに対し被乾燥物の移し換えを所定のロ−テ−ションで自動的に行いながら移し換えを行う。
そして、荷受から半乾まではロ−テ−ションのみによって処理するが、この半乾が終了して混合攪拌乾燥に移行する場合には、例えば、半乾が終了したビンを攪拌乾燥に移行する。
なお、攪拌貯留ビンでは水分の高いものを上に追加していくので、下からの通風の場合には速やかな攪拌によって水分の高いものを下へ下へと送らないと品質劣化等を招く問題がある。
【０００３】
この発明によるシステムでは、異なる水分域の穀物を混合する場合に、ビン内の穀層を投入時の水分域によって投入順序を決定し、攪拌のみではなく、水分値の異なる堆積層の重ね方まで考慮することによって、乾燥の効果を引き出すことにある。かかる目的達成のため、本発明は次のような技術的手段を講じた。
【０００４】
【課題を解決するための手段】
すなわち、この発明にかかる技術的手段は、底部をフラットなスイープフロア形態としその下方に通気空間を形成した複数の貯留ビンに撹拌装置を備え、これら複数の貯留ビンに振分けられた荷受穀物を半乾水分までローテーションのみによって処理し、この後各貯留ビンの穀物を所定の貯留ビンに集合して混合撹拌乾燥に移行する乾燥方法において、水分値の異なる堆積層の重ね方を、水分の最も高いものを最初に投入し、その次に予め設定された許容範囲内の水分値を減じた水分値に最も近いものを投入し、更に、この水分に許容水分値を加えた水分値に最も近いものを投入すべく、予め設定された許容範囲内の水分差の穀物を順次投入して撹拌乾燥する構成とした貯留ビンのである。
【０００５】
【発明の作用及び効果】
ローテーションによって半乾水分値に達した穀物を所定のビンに積み重ねるとき、水分の最も高い穀物を最初に投入し、次いで予め設定された許容範囲内の水分値を減じた水分値に最も近いものを次に投入し、更に、この水分に許容水分値を加えた水分値に最も近いものを投入する。そしてこれを繰返し行うと隣合う穀層の水分差によって乾燥が進むことになる。
なお、半乾水分、例えば、１８％になった時点で、各ビンの穀物を堆積するように設定すれば、ビンを効率的に利用することができたのである。
【０００６】
【０００７】
【実施例】
この発明の一実施例を図面に基づいて説明する。荷受ホッパ１，１…を備える荷受場２は、搬送トラックの出入りし易いように該荷受ホッパ１，１…の両側方向に通路を構成するようにその他の主たる設備群とは離れて構成される。
【０００８】
上記荷受ホッパ１に搬送機構や粗選機用エレベ−タ１Ａを介して、粗選機３や穀物を荷受計量する荷受計量機４を接続可能に設ける。これらは乾燥済穀物を受けて精選する精選機５や籾摺プラント６とともに互いに近接して設備され、操作室７，自主検査室８，製品置場９等と同一建家１０内に構成されている。上記建家１０に直列的に貯留乾燥用のビン１１，１１…を配設する。本実施例では１基５０ｔ程度のビンを左右２系列×１０ビンを左右の建家１２ａ，１２ｂに夫々収容して、合計４０ビンとしている。
【０００９】
貯留ビン１１，１１…は、図１に示すように、角型のビンを採用し、外側壁１１ａは断熱材としてグラスウール等を利用したものとし、ビン同志の中間仕切１１ｂ，１１ｃは通常の壁材を使用している。ビン１１の底部はフラットなスイープフロワ１３形態とされ、その下方は通気空間１４を形成している。上記ビン１１の建家１２上方側にはフライトコンベア形態の張込用コンベア１５，１５を平行して設け、これらのコンベア１５を配設するビン上方空間は断面において中央及び左右に空間を形成するよう封印用隔壁１６，１６を断熱材によって設け、これによって形成された中央の隔室１７にはビン１１上端面と一致して床材１８が張設されてあり、当該隔室１７は点検用通路として利用できる構成である。封印用隔壁１６，１６には各ビン１１，１１…宛に張込シュート１９，１９…が配設されている。１５Ａは張込エレベ−タ、２０は排塵ファンである。
【００１０】
前記各ビン１１，１１…には夫々２個の撹拌用スクリュー２１，２１を設ける。これらスクリュー２１，２１は撹拌装置としての一例であり、各別に駆動モータ２２，２２を備え、該スクリュー２１，２１の支持枠２３はビン１１上端に設けるレール２４，２４に沿って前後に往復移動すべく構成され、更にこの支持枠２３に沿う方向において左右のスクリュー間隔を保ったまま往復動する構成とされ、四角いビンを左右に分けてジグザグ状に移動しながら全面を撹拌できる構成としている。
【００１１】
２５，２５は排出並びにローテーション用の排出コンベアで、ベルトコンベア形態とし、前記左右の通気空間１４，１４間に隔てて設けられる排出室２２内において各系列毎に設けられる構成である。２５Ａは排出ロ−テ−ションエレベ−タ、２６は中継タンクである。ビン１１，１１用建家１２ａ，１２ｂに接続する状態に送風機室が設けられ、各系列毎に通気空間１４入り口に接続して送風機２７，２７…を配設している。２８，２８は加熱装置であり、これの運転により送風機２７は熱風を通気空間１４に供給できる。
【００１２】
前記操作室７には運転制御部を備え、各部運転制御機構、設定入力機構を有している。例えば上記ビン１１，１１…においては、荷受計量機４からの情報を得て各ビン１１毎の張込量を供給時間あるいは張込量検出によって任意に設定可能に設けられている。これらビン１１では、張込量を薄層にして乾燥主体とする形態や、乾燥が進み仕上げ水分に至った又はこれに接近した穀物と新たな荷受穀物とを混合撹拌して乾燥を進める形態、及び乾燥仕上がり穀物を籾摺出荷までの短期貯留あるいは長期貯蔵する貯留・貯蔵を行なう形態に任意に設定し実行できる構成としている。
【００１３】
なお、２９は各貯留ビンに設けられたレベル計、３０は水分計で、排出ロ−テ−ションエレベ−タ２５Ａに設置されている。貯留ビンのロ−テ−ション自動制御について以下その作用を説明する。各ビンへの投入量をレベル計２９で検知し、堆積高さ毎に予め入力された乾減率（例えば乾減率０．３％／Ｈ）を記憶して水分を予測する。
【００１４】
そして、投入時の水分から、例えば１．５％（０．３％／Ｈ×５Ｈ）の水分が減った時に排出するように設定しておく。すると、演算装置により設定された水分になるまでの時間が算出されと共に、この算出された時間により排出の優先順位（例えばＡ3(25%)＞Ａ1(24%)＞Ａ2(20%)）が決定される。そして、この優先順位に従って投入時の水分（例えば２５％）から例えば仕上げ水分（１６％）になるまで自動的にロ−テ−ションが繰返し行われる。
【００１５】
なお、攪拌貯留ビンでは水分の高いものを上に追加していくので、下からの通風の場合には速やかな攪拌によって水分の高いものを下へ下へと送らないと品質劣化等を招く問題がある。この実施例によるシステムでは、荷受水分を除いた異なる水分域の穀物を混合する場合に、ビン内の穀層を投入時の水分域によって投入順序を決定し、攪拌のみではなく、水分値の異なる堆積層の重ね方まで考慮することによって、更なる乾燥の効果を引き出すことにある。
【００１６】
すなわち、荷受から半乾まではロ−テ−ションのみによって処理するが、この半乾が終了して混合攪拌乾燥に移行する場合には、例えば、半乾が終了したＡ1〜Ａ4のビンを攪拌乾燥に移行するとする。ここで、Ａ1＝１８％，  Ａ2＝１８．９％，  Ａ3＝１７％，  Ａ4＝１７．５％とすると、投入順序を決定するプロセスとしては、
（イ）ノ−マルモ−ド（水分値の高いものから順に下方より積層する。）貯留ビンに対して下から通風する場合に、最下層の攪拌効果が作用しない領域については水分値の高い順に投入する。従って、Ａ2⇒Ａ1⇒Ａ4⇒Ａ3の順となる。
（ロ）交互モ−ド（水分値の異なる穀層を交互に投入する。）
水分の最も高いものを最初に投入して、その次に予め設
定された許容範囲内の水分差の穀物を投入する。
【００１７】
まず、最も水分の高いＡ2を投入し、許容範囲２％を設定すると、Ａ2−２％＝１６．９％、ここでは、Ａ3を投入、次にＡ3＋２％＝１９％、ここではＡ1を投入、Ａ1−２％＝１６％でＡ4を投入する。選択基準としては、最も水分の高いものを最初に投入し、この水分から許容水分値を減じた水分値に最も近いものを次に投入し、更に、この水分に許容水分値を加えた水分値に最も近いものを投入する。そして、これを繰返し行うと隣合う穀層の水分差によって乾燥が進むことになる。
【００１８】
なお、半乾水分、例えば、１８％になった時点で、各ビンの穀物を堆積するように設定すれば、ビンを効率的に利用することができる。即ち、例えば１８％で堆積高さ３ｍ、１６％で４ｍとし、仕上水分でビンが満量となるように各ビンの穀物を一つのビンに集中していくことによってビンの効率化を図ることができる。
【図面の簡単な説明】
【図１】施設概要平面図である。
【図２】その一部の拡大側断面図である。
【図３】施設要部の概要側面図である。
【図４】貯留ビン概要平面図である。
【符号の説明】
１  荷受ホッパ              ２  荷受場
３  粗選機                  ４  荷受計量機
５  精選機                  ６  籾摺プラント
７  操作室                  ８  自主検査室
９  製品置場              １０  建家
１１  ビン                  １１ａ  外側壁
１１ｂ，１１ｃ  中間仕切    １２ａ，１２ｂ  建家
１３  スイープフロワ        １４  通気空間
１５  張込用コンベア        １５Ａ  張込エレベ−タ
１６  封印用隔壁
１７  隔室                  １８  床材
１９  張込シュート          ２０  排塵ファン
２１  撹拌用スクリュー      ２２  駆動モータ
２３  支持枠                ２４  レール
２５  排出コンベア          ２５Ａ  排出ロ−テ−シ
ョンエレベ−タ
２６  中継タンク
２７  送風機                ２８  加熱装置
２９  レベル計              ３０  水分計
【図１】
0003622236.tif 000002
【図２】
0003622236.tif 000003
【図３】
0003622236.tif 000004
【図４】
0003622236.tif 000005